(57)【特許請求の範囲】
【請求項１】
上面を有する基礎フレームと、
前記基礎フレームに回動可能に支持され、ハンドルにより回動させられる操作軸と、
前記基礎フレームの上面に形成された、上方開放状の開放軸受部と、
前記開放軸受部に上方より挿脱可能に挿入され、回動可能となるように支持されるローラ軸と、
前記ローラ軸に取り付けられ、ローラ軸の回動により回動する払出ローラと、
前記基礎フレームに設けられ、前記操作軸の回動を前記ローラ軸に伝達し、前記払出ローラを回動させる払出伝動体と、
前記基礎フレームの上面に着脱可能に装着され、複数の媒体を上下積層状に収納可能な収納ケースであって、前記基礎フレームに装着されたとき、収納された複数の媒体のうち最下位置の媒体が前記払出ローラによって受持される前記収納ケースと、
からなり、
前記ハンドルの操作により前記操作軸が回動されたとき払出ローラが回動することにより、前記収納ケース内に収納された複数の媒体のうち最下位置の媒体が前記収納ケースから送り出される
ことを特徴とする媒体販売装置。
【請求項２】
前面が開放されたケース本体とこの前面を開閉可能に閉鎖する前面扉とからなる機ケースと、この機ケースの内部に設けられた基礎フレームと、この基礎フレームと別個に形成されて基礎フレームの上面に着脱可能に装着されていて複数の媒体を収納可能な収納ケースと、この収納ケース内の最下位置の媒体の前部を受持可能な位置にて基礎フレームの上部に支持されかつ回転することにより最下位置の媒体を送り出し可能な払出ローラと、前記基礎フレームに回転可能に支持されていてハンドルにより回転操作される操作軸と、前記基礎フレームに設けられていてハンドルによる操作軸の回転を払出ローラに伝達する払出伝動体と、を有しており、
前記基礎フレームの上面には、払出ローラのローラ軸を上方より挿脱可能に挿入して支持する上方開放状の開放軸受部が設けられ、前記開放軸受部に支持されたローラ軸は、基礎フレーム上に装着された収納ケースによって離脱が防止されていることを特徴とする媒体販売装置。
【発明の詳細な説明】
【技術分野】
【０００１】
本発明は、主にカード等の媒体を払い出す媒体販売装置に関する。
【背景技術】
【０００２】
この種の従来技術においては、特許文献１に開示されているように、収納ケース内に収納した下から２番目以上の紙葉類を衝立板で送り出しを阻止しながら、最下位の紙葉類をローラ軸に設けた払出ローラの回転で前方へ送り出し、この送り出された紙葉類を引き出すことにより収納ケースから取り出すように構成されている。
前記収納ケース内に収納されている紙葉類は、浮き上がりを防止して払出ローラで確実に送り出せるように、その上には重鎮が載置されている。また、１つのフレーム内に収納ケースと送り出し駆動機構とが配置されている。
【特許文献１】特開平９−２６７８号公報
【発明の開示】
【発明が解決しようとする課題】
【０００３】
前記従来技術では、紙葉類が完売された等の理由で、収納ケース内の収納紙葉類が無くなっても、連続購入のために事前に硬貨が投入されていた場合、払出ローラは回転可能になっている。
収納紙葉類が無くなると重鎮は払出ローラと接触状態になり、このため、払出ローラを回転すると重鎮と摺接することになり、ゴム等で形成されている払出ローラは摩耗し、新たな紙葉類の正常な送り出しが困難になることがあり、また、販売をせずに硬貨を収納してしまうという問題がある。
【０００４】
このような問題点は、収納媒体がなくなったときに、重鎮で払出ローラの回転を阻止し、払出ローラと重鎮の摺接を防止できるようにし、また、連続購入のために事前に硬貨が投入されていた硬貨を返却可能にすることにより解決することが可能になる。
しかし、収納ケース、基礎フレーム、払出ローラ付きローラ軸等を別個に構成して、簡単に組み立てることは可能ではなかった。
本発明は、このような従来技術の問題点を解決できるようにした媒体販売装置を提供することを目的とする。
【０００５】
本発明は、収納ケース、基礎フレーム、払出ローラ付きローラ軸等を別個に構成して、簡単に組み立てることを可能にした媒体販売装置を提供することを目的とする。
【課題を解決するための手段】
【０００６】
本発明における課題解決のための具体的手段は、次の通りである。
第１に、
上面を有する基礎フレームと、
前記基礎フレームに回動可能に支持され、ハンドルにより回動させられる操作軸と、
前記基礎フレームの上面に形成された、上方開放状の開放軸受部と、
前記開放軸受部に上方より挿脱可能に挿入され、回動可能となるように支持されるローラ軸と、
前記ローラ軸に取り付けられ、ローラ軸の回動により回動する払出ローラと、
前記基礎フレームに設けられ、前記操作軸の回動を前記ローラ軸に伝達し、前記払出ローラを回動させる払出伝動体と、
前記基礎フレームの上面に着脱可能に装着され、複数の媒体を上下積層状に収納可能な収納ケースであって、前記基礎フレームに装着されたとき、収納された複数の媒体のうち最下位置の媒体が前記払出ローラによって受持される前記収納ケースと、
からなり、
前記ハンドルの操作により前記操作軸が回動されたとき払出ローラが回動することにより、前記収納ケース内に収納された複数の媒体のうち最下位置の媒体が前記収納ケースから送り出されることである。
【０００７】
第２に、
前面が開放されたケース本体とこの前面を開閉可能に閉鎖する前面扉とからなる機ケースと、この機ケースの内部に設けられた基礎フレームと、この基礎フレームと別個に形成されて基礎フレームの上面に着脱可能に装着されていて複数の媒体を収納可能な収納ケースと、この収納ケース内の最下位置の媒体の前部を受持可能な位置にて基礎フレームの上部に支持されかつ回転することにより最下位置の媒体を送り出し可能な払出ローラと、前記基礎フレームに回転可能に支持されていてハンドルにより回転操作される操作軸と、前記基礎フレームに設けられていてハンドルによる操作軸の回転を払出ローラに伝達する払出伝動体と、を有しており、
前記基礎フレームの上面には、払出ローラのローラ軸を上方より挿脱可能に挿入して支持する上方開放状の開放軸受部が設けられ、前記開放軸受部に支持されたローラ軸は、基礎フレーム上に装着された収納ケースによって離脱が防止されていることである。
【０００８】
また、媒体販売装置は次の特徴を有する。
第１に、収納ケース１４内に媒体Ａを積層状に収納し、その媒体Ａの上に重鎮３３を載置し、収納した下から２番目以上の媒体Ａを衝立板３１で払い出し阻止状態にし、ハンドル８で駆動されるローラ軸２５に最下位置の媒体Ａを前方へ送り出す払出ローラ２４を設けた販売装置３において、前記ローラ軸２５に被ロック体２６Ｂを設け、重鎮３３に収納媒体Ａがなくなって払出ローラ２４と接するときに被ロック体２６Ｂと係合してローラ軸２５の回転を阻止するロック部３３Ｅを設けている。
【０００９】
これによって、収納ケース１４内に収納媒体Ａがなくなると、重鎮３３に設けたロック部３３Ｅが被ロック体２６Ｂと係合してローラ軸２５の回転を阻止し、払出ローラ２４が重鎮３３と摺接するのを防止する。
第２に、基礎フレーム１６上に収納ケース１４を着脱自在に装着し、基礎フレーム１６にハンドル８を有する操作軸１８と、この操作軸１８から払出伝動体２６を介して動力が伝達されるローラ軸２５とを支持し、前記払出伝動体２６を回動阻止状態にしていて正規コインＢの投入により払出伝動体２６の回動阻止状態を解除するコイン検出作動装置Ｄを設け、前記収納ケース１４内に媒体Ａを積層状に収納し、かつその媒体Ａの上に収納ケース１４によって案内されて下降する重鎮３３を載置し、前記払出伝動体２６に被ロック体２６Ｂを設け、前記重鎮３３に収納媒体Ａがなくなって払出ローラ２４と接するときに被ロック体２６Ｂと係合してローラ軸２５の回転を阻止するロック部３３Ｅを設けている。
【００１０】
これによって、正規コインＢの投入により払出伝動体２６の回動阻止状態を解除するコイン検出作動装置Ｄを有していても、収納ケース１４内に収納媒体Ａがなくなると、重鎮３３に設けたロック部３３Ｅが払出伝動体２６に設けた被ロック体２６Ｂと係合してローラ軸２５の回転を阻止し、払出ローラ２４が重鎮３３と摺接するのを防止する。
第３に、前記基礎フレーム１６にローラ軸２５を支持する上方開放状の開放軸受部１６ａを形成し、基礎フレーム１６に収納ケース１４を載置装着して前記開放軸受部１６ａからのローラ軸２５の抜け止めをしている。
【００１１】
これによって、収納ケース１４、基礎フレーム１６、払出ローラ２４付きローラ軸２５等を別個に構成して、簡単に組み立てることが可能になる。
第４に、収納ケース１４の側面にコイン検出作動装置Ｄを着脱自在に装着している。
これによって、コイン検出作動装置Ｄをアセンブリとして構成して、収納ケース１４に製作、組み立てを簡単にすることができる。
第５に、１台の基礎フレーム１６に、２台の収納ケース１４を装着すると共に、各収納ケース１４から媒体Ｂを払い出す操作軸１８及びローラ軸２５を支持している。
【００１２】
２台分の販売装置をコンパクトに、かつ製作、組み立てを容易に構成することができる。
第６に、前記重鎮３３は、払出ローラ２４と接するときに上下方向にオーバラップするべく、その下面に払出ローラ２４と嵌合する凹部３３Ｃを有する。
これによって、媒体Ａの厚さが薄い場合でも、被ロック体２６Ｂとロック部３３Ｅの係合量を十分に確保でき、ローラ軸２５の回転阻止を確実にできる。
【発明の効果】
【００１３】
本発明によれば、収納ケース、基礎フレーム、払出ローラ付きローラ軸等を別個に構成して、簡単に組み立てることが可能になる。
【発明を実施するための最良の形態】
【００１４】
以下、本発明の実施の形態を図面に基いて説明する。
図１〜２２に示す商品販売機１は、主にカード等の紙葉類を単枚又は複数枚を帯で結束した商品媒体Ａを、硬貨等のコインが指定量投入されたときに払い出すものであり、特に、結束したカードを１枚以上の百円硬貨を投入して払い出すカード販売機に適用したものである。
この商品販売機１は、図１〜７に示すように、１個の箱型の機ケース２内に２組の販売装置３を内蔵したツインタイプで、機ケース２は前面開放のケース本体２Ｂをケース台座２Ｃ上に搭載し、ケース本体２Ｂの前面を前面扉２Ａで開閉自在に閉鎖している。
【００１５】
この前面扉２Ａは、１枚であるが、２組の販売装置３に対応して２枚の前面扉２Ａがあるように左右に区分されており、コイン投入口４、ディスプレイ５、媒体Ａの払出口６、コイン返却口７及び返却押しボタン１２等を左右一対有し、前面扉２Ａを施錠する錠前９は１個のみ設けられている。２組の販売装置３の払い出し操作をするためのハンドル８は左右一対になっている。
２組の販売装置３を内蔵する前記商品販売機１は、１段でもよいが、上下方向に２段以上に積み重ねて配置することがあり、最下段の商品販売機１は、可搬用のキャスタ１０をケース台座２Ｃに備え、設置時には安定体１１を前下部に備えて、転倒、特に前倒れを防止するように構成される。上段の販売装置３にはケース台座２Ｃがなく、直接又は連結材を介在して下段の機ケース２上に搭載連結される。
【００１６】
前記商品販売機１は、複数の販売装置３を小さなスペースにコンパクトに配置して、小さい占有面積でかつ安価なコストで、多数、多種類のカードを販売できるようにしている。
左右販売装置３はそれぞれ、媒体払出部Ｃとコイン検出作動部（コイン検出作動装置）Ｄとを隣合わせに配置しており、媒体払出部Ｃは媒体Ａを収納する収納ケース１４と媒体Ａを送り出すための送り出し機構１５とを有する。
左右販売装置３の送り出し機構１５は、共通の基礎フレーム１６に支持され、この基礎フレーム１６に左右の収納ケース１４がそれぞれ着脱自在に取り付けられ、この各収納ケース１４の側面にコイン検出作動部Ｄが装着されており、各部はそれぞれユニットになっていて、別個に組み立てられ、分解・組立が簡単かつ容易になっている。
【００１７】
基礎フレーム１６は、機ケース２の内底部にネジ止めされており、左右販売装置３用の集金箱１７が前方から挿入可能になっており、この集金箱１７は機ケース２の内底部に載置される。
左右販売装置３のそれぞれにおいて、前記基礎フレーム１６に前後方向の操作軸１８と左右方向の伝動軸１９がそれぞれ回転自在に支持され、操作軸１８の前端に前記ハンドル８が設けられ、後端に駆動ベベルギヤ２０が設けられ、伝動軸１９には駆動ベベルギヤ２０と噛合した従動ベベルギヤ２１と伝動ギヤ２２とが設けられている。前記従動ベベルギヤ２１及び伝動ギヤ２２は一体ものとなっている。
【００１８】
２４はゴム等で形成された払出ローラで、この払出ローラ２４を取り付けているローラ軸２５は、基礎フレーム１６の上面の開放軸受部１６ａに上方から挿脱自在に挿入されており、基礎フレーム１６上に収納ケース１４を載置して取り付けることにより、開放軸受部１６ａからの離脱が防止される支持構造となっており、従って、払出ローラ２４は着脱自在である。
前記操作軸１８と駆動ベベルギヤ２０との間、又は伝動軸１９と従動ベベルギヤ２１との間には、一方向クラッチとトルクリミッタとを設けている。
【００１９】
一方向クラッチはハンドル８を払い出し方向とは逆方向に回したときに、払出ローラ２４が回転するのを防止するものであり、トルクリミッタはハンドル８からの無理な駆動を払出ローラ２４に伝達させないものである。
前記ローラ軸２５には払出伝動体（ギヤ体）２６が遊嵌されており、ローラ軸２５に固着のピン２５Ａと払出伝動体２６の係合部２６ａとが係合することにより一体回転する。ローラ軸２５に対して払出伝動体２６は約９０度の範囲で遊転可能である。従って、媒体Ａが強制的に引き出されたときに払出ローラ２４が回転しても、次に払出伝動体２６がローラ軸２５を駆動して払出ローラ２４を駆動完了する位置は、定位置となり、常に払出口６から一定量だけ媒体Ａを押し出す。
【００２０】
前記払出伝動体２６には、前記伝動ギヤ２２と噛合する払出ギヤ２６Ａと、外周に連続凹凸部を形成した被ロック体（被ロックディスク部）２６Ｂとが一体成形（又は別個に形成して固着）されている。この被ロック体２６Ｂはスプライン形状であるが、インボリュートギヤ形状に形成してもよい。
収納ケース１４の側壁には２本のアイドラ軸部３６、３７を介してアイドラギヤ３８、３９が支持されており、第１アイドラギヤ３８は払出ギヤ２６Ａ及び第２アイドラギヤ３９と噛合し、第２アイドラギヤ３９はコイン検出作動部Ｄに動力伝達可能に噛合されている。
【００２１】
従って、媒体払出部Ｃの払出伝動体２６は、ハンドル８の回転を払出ローラ２４に伝達し、この払出ローラ２４の回転で収納ケース１４に収納した媒体Ａを送り出し、また、ハンドル８の駆動をコイン検出作動部Ｄに伝達すると共に、コイン検出作動部Ｄの作動が制限されている場合に、払出ローラ２４の駆動を制限できるように連係されている。
即ち、払出伝動体２６は、コイン検出作動部Ｄと連動連結していて、正規でかつ指定数のコインＢが投入されて初めてその作動の牽制が解除され、払出ローラ２４の作動規制を解除するものである。
【００２２】
図３〜９において、前記収納ケース１４は、媒体Ａを上下積層状にストックするものであり、前面が開放した長方形の箱形状のケース体１４Ａと、このケース体１４Ａの下部に枢支されていてその前面を開閉自在に施蓋する前蓋１４Ｂとを有し、ケース体１４Ａの下部は基礎フレーム１６に係脱自在に係合し、背壁がケース本体２Ｂの背壁にネジ止めされている。
ケース体１４Ａは、払出ローラ２４の上半分に被さるように配置されている。払出ローラ２４の上に結束した媒体Ａを多数ブロック積層状に載置したとき、払出ローラ２４は最下位置の媒体Ａの前部を受持し、媒体Ａの後部はケース体１４Ａの下部に設けた後支持板３０で受持される。
【００２３】
ケース体１４Ａの前下部には、媒体Ａの前面を仕切りかつ２段目以上の媒体Ａの送り出しを阻止する衝立部３１と、この衝立板３１の下を通り抜けて出てくる払出媒体Ａを受ける受け部３２が設けられ、左右側壁には重鎮３３を案内する案内溝３４が形成されている。前記受け部３２は前面扉２Ａの払出口６と連通している。
前記案内溝３４は、前後位置がローラ軸２５と略一致していて重鎮３３のガイドとなっており、重鎮３３は媒体Ａの前部に重しをかけるようになっていて、媒体Ａが減る毎に下方に降りて行く。重鎮３３は媒体Ａがなくなればローラ軸２５に略真上から対向する。
【００２４】
案内溝３４の上部は鉤状に曲がって退避部３４Ａが形成されており、媒体Ａを補給するときに、重鎮３３を退避部３４Ａに引っ掛けておくことにより、上方へ退避させておくことができる。
前記前蓋１４Ｂの上部には牽制突起１４ｂが後方突出状に設けられており、重鎮３３を退避部３４Ａに配置したときに、牽制突起１４ｂが重鎮３３と衝突して、前蓋１４Ｂを閉鎖できなくなるようにしている。
前記重鎮３３には引き上げるための指掛け部３３Ａと、媒体Ａと当接する下面の当接部３３Ｂと、左右案内溝３４と係合する左右両側面のガイド突起３３Ｄと、左右１側面でガイド突起３３Ｄの下端に配置されていて被ロック体２６Ｂと係合可能なロック部（ロック突起）３３Ｅとが形成されている。
【００２５】
前記当接部３３Ｂは前後部が下方に突出し、中途部が凹部３３Ｃとなっている。重鎮３３は前後中途部に凹部３３Ｃを形成していることにより、前後２個所で媒体Ａを払出ローラ２４に押し当てることになり、下面が平坦である場合よりも、媒体Ａと払出ローラ２４との当接面積が広くなり、払出ローラ２４による媒体Ａの繰り出し能力が向上する。
また、媒体Ａが無くなったときに、凹部３３Ｃの深さ分だけ重鎮３３が落ち込むことになる。媒体Ａの厚みが約２ｍｍのカード束である場合、１束の払出毎に重鎮３３は２ｍｍしか下方に移動しないが、最後の媒体Ａが払い出されたときには、重鎮３３はカード束の厚さ２ｍｍと凹部３３Ｃの深さ分（例えば２〜４ｍｍ）との合計の寸法だけ下降する。
【００２６】
それだけの寸法の下降により、ロック部３３Ｅが被ロック体２６Ｂと確実かつ強固に係合でき、この両者の係合によって、ローラ軸２５及び払出ローラ２４の回転を阻止することになり、カード完売時にハンドル８からの回転力を受けても、払出ギヤ２６Ａを確実にロックできるようになっている。
即ち、凹部３３Ｃは払出ローラ２４に対する重鎮３３の当接位置を最下点でなく上側に変位して、最後の媒体Ａが払い出されたときに、払出ローラ２４に重鎮３３を上下方向にオーバラップさせる位置まで下降させ、下方への移動距離を増幅させて、ロック部３３Ｅと被ロック体２６Ｂとの係合量を確保し、ロック部３３Ｅで払出ローラ２４を確実にロックできるようにしている。
【００２７】
コイン検出作動部Ｄで投入されたコインＢが正貨と判定されると、ハンドル８は１回転が許容されるが、媒体Ａが無くなっていると、払出ローラ２４はロックされ、ハンドル８は操作力伝達系に設けたトルクリミッタ（正式部品名ワンウェイヒンジ）にて空転する。
また、コイン検出作動部ＤもコインＢが投入されて作動可能状態にあるとしても、被ロック体２６Ｂがロック状態であると駆動力が伝達されなく、従って作動されない。但し、この時点で返却ボタンを押せばコインＢはコイン返却口７へ返却される。
前記媒体払出部Ｃにおいて、２８は品切れ表示部材で、基礎フレーム１６に枢支され、後端はケース体１４Ａの底部に突出していて媒体Ａと当接し、前端は表示部となっていて前面扉２Ａに形成した窓２９から露出可能になっており、ケース体１４Ａに媒体Ａがある場合、表示部は窓２９から露出せず、媒体Ａがなくなれば、表示部が窓２９に対向して外部から見えるようになっている。
【００２８】
またその他、媒体払出部Ｃには、少なくなった残留媒体Ａをケース体１４Ａから取り出すために、最下段の媒体Ａを押し上げる残留媒体取出手段４０が設けられている。
この残留媒体取出手段４０は、図８に示すように、ケース体１４Ａの外面に枢支されたレバー４０ａの先端を、ケース体１４Ａの円弧溝４０ｂから内部に突出し、このレバー４０ａを揺動することにより媒体Ａのお尻を押し上げ、ケース体１４Ａの前側から媒体Ａを取り出せるようにしている。
コイン検出作動部Ｄは、媒体払出部Ｃとは独立したユニットとして構成され、全体を支持する支持体４２は、収納ケース１４の側面にネジを介して着脱自在に取り付けられている。
【００２９】
図３〜７、１０〜２２において、支持体４２は、上部にコイン投入部４３を有し、その下方にコインセレクタ４４を取り付けており、このコインセレクタ４４の下方に作動機構Ｅを配置している。この作動機構Ｅを配置している支持体４２の下部は、補助板４２Ａを張り合わせ状に取り付けている。
前記コイン投入部４３はコイン投入口４と連通可能になっており、投入したコインＢをコインセレクタ４４に案内する。コインセレクタ４４はコインＢの正貨と偽造とを識別し、偽造であれば、コインセレクタ４４内及び支持体４２と補助板４２Ａとの間に形成された返却通路４１（図１０、１１、１３に示す）へ落下し、コイン返却口７へと転がし、正貨であれば作動機構Ｅへ供給する。
【００３０】
図３〜７に示す符号４５は、基礎フレーム１６に立設された収納連絡通路であり、コインセレクタ４４内及び支持体４２と補助板４２Ａとの間に形成されたコイン通路４７の下方に配置されかつ連通される。
４６はコインセレクタ４４の前側で支持体４２に枢支された返却ボタン（返却レバー）で、その前面は前面扉２Ａに設けた返却押しボタン１２に当接しており、返却押しボタン１２を介して返却ボタン４６を押すことにより、コインセレクタ４４内及び作動機構Ｅ内のコインＢを排出可能になっている。
【００３１】
前記作動機構Ｅは、内部でコインＢを保留した後に使用と返却を選択する分岐手段Ｇ、この分岐手段Ｇで保留されたコインＢの内の販売のために指定するコイン枚数を設定する指定数設定手段Ｈ、指定数のコインＢが存在することにより作動可能でかつ作動することによりハンドル８の回動を許容する作動手段Ｋ、ロック手段Ｌ及びロック解除手段Ｍ等を備えている。
作動機構Ｅのコイン通路４７は、支持体４２と補助板４２Ａとの間の内部空洞に形成されており、上下の途中から収納路４７ａと返却路４７ｂとに分岐されており、前記収納路４７ａは収納連絡通路４５と連通され、返却路４７ｂはコイン返却口７と連通されている。
【００３２】
前記コイン通路４７の分岐点には、分岐手段Ｇの分岐体４８が図１１左右揺動自在に枢支されており、その上に一旦保留されたコインＢを、コイン収納揺動（左揺動）又はコイン返却揺動（右揺動）することにより、使用するコインは収納路４７ａに、返却するコインは返却路４７ｂに選択落下させる。
即ち、前記分岐体４８は中央に位置するとき、上方から供給されてくるコインＢを受持保留し、反時計方向に揺動すると、保留しているコインＢを収納路４７ａに通して集金箱１７に落下し、逆に時計方向に揺動すると、保留しているコインＢを返却路４７ｂに通してコイン返却口７に落下する。
【００３３】
この分岐体４８には２本のピン４８Ａ、４８Ｂが突設され、支持体４２に形成した円弧溝を貫通している。前記ピン４８Ａは支持体４２に設けた中立復帰部材４９（２枚のバネ板を有する）と係合していて、分岐体４８をコイン受持状態に維持する作用をしており、ピン４８Ｂは後述する連動部材５０を前後方向にスライドさせるべく係合している。
また、前記ピン４８Ａには揺動アーム６１の一端が係合しており、この揺動アーム６１の他端は緩衝連結杆６２を介して返却ボタン４６と連結されている。従って、返却ボタン４６を押すと、緩衝連結杆６２を介して揺動アーム６１を揺動し、揺動アーム６１により分岐体４８が返却路４７ｂを開通すべく時計方向に揺動される。
【００３４】
前記緩衝連結杆６２はプラスチック又はバネ板等で形成され、返却ボタン４６から揺動アーム６１まで上下方向に長く、弯曲可能であり、分岐体４８を左方向に揺動する力が作動手段Ｋ側から加わって、返却ボタン４６からのコイン返却揺動と喧嘩することがあっても、緩衝連結杆６２が弯曲することにより、他の部材を破損しないようになっている。
前記分岐体４８の上には３枚のコインＢが保留可能になっており、商品媒体Ａを払い出しに必要なコインＢの枚数を１〜３枚に変更設定できる。
この保留される３枚のコインＢに対応して、支持体４２の一外面には指定数設定手段Ｈの牽制杆５１と指定外阻止杆５２とが配置されており、３枚目のコインＢを検出する牽制杆５１Ｃと指定外阻止杆５２Ｃとは１本の杆で兼用されている。
【００３５】
商品販売機１が３百円用（最大指定枚数が３枚）である場合、最下段の牽制杆５１Ａと指定外阻止杆５２Ａとは１百円指定用であり、中段の牽制杆５１Ｂと指定外阻止杆５２Ｂとは２百円指定用であり、最上段の牽制杆５１Ｃは３百円指定用であり、この牽制杆５１Ｃの先端近傍に設けた突起が３百円指定用の指定外阻止杆５２Ｃとなっている。
総ての牽制杆５１及び指定外阻止杆５２は、支持体４２の一外面に設けた縦軸方向の支持軸５３に左右方向（図１０紙面上下方向）に独立揺動自在に枢支されている。
牽制杆５１は後端部（図１０右端）に牽制突起５１ａが、中途部に連動突起５１ｂがそれぞれ形成され、牽制杆５１Ａ、５１Ｂの中途部には、指定外阻止杆５２Ａ、５２Ｂとそれぞれ掛合して退避動作を共にするための掛け突起５１ｃが形成されている。
【００３６】
前記牽制突起５１ａ及び連動突起５１ｂは支持体４２に形成された孔に貫通して、支持体４２の反対面に出退自在に突出しており、牽制突起５１ａは突出することにより作動手段Ｋの作動体５５と係合可能であり、連動突起５１ｂは突出することによりコイン通路４７内のコインＢと当接可能になっている。
前記指定外阻止杆５２は、後端部（図１０右端）に略鉤形状の阻止突起５２ａ（指定外阻止杆５２Ｃはそれ自体）が形成され、支持体４２に形成された孔に貫通しコイン通路４７に出退自在になっており、コイン通路４７内に位置することにより、それより上側に投入されたコインＢの下方移動を阻止する。
【００３７】
従って、指定外阻止杆５２Ａは分岐体４８の上方の２枚目のコインＢを、指定外阻止杆５２Ｂは３枚目を、指定外阻止杆５２Ｃは４枚目をそれぞれ移動阻止する。
指定外阻止杆５２の阻止突起５２ａは、略鉤形状の先端がコイン通路４７内に位置してコインＢと当たる状態と、コインＢと当たらない突き抜ける状態及び手前に退避する状態とがあり、使用時は突き抜ける状態からコインＢと当たる状態に変位し、使用しないときは、指定数設定部材５７によって手前に退避する状態に保持される。
前記総ての牽制杆５１及び指定外阻止杆５２は、後端の突起が支持体４２内に突入するようにスプリング５８で付勢されている。このスプリング５８は、図１０、１２では、牽制杆５１及び指定外阻止杆５２の前端を支持体４２から離れる方向に付勢しているが、図１７〜１９では、支持軸５３に嵌装している。
【００３８】
前記総ての牽制杆５１及び指定外阻止杆５２の前端に対向するように退避部材５６が配置されている。この退避部材５６は、支持軸５３に枢支されており、全牽制杆５１及び指定外阻止杆５２の前端とオーバラップしていて、これを押すことにより、全牽制杆５１及び指定外阻止杆５２をスプリング５８に抗して揺動し、牽制突起５１ａ及び阻止突起５２ａを後退させることができる。この退避部材５６はメンテナンスのときに使用される。
牽制杆５１Ａを除く牽制杆５１Ｂ、５１Ｃ及び指定外阻止杆５２Ａ、５２Ｂの前端は、退避部材５６よりも前方に突出していて、指定数設定部材５７が係合可能になっている。
【００３９】
図１０、１２、１７〜２０において、前記指定数設定部材５７は板金を平面視コの字状に折曲形成したものであり、中央部が支持体４２又は補助板４２Ａの前端面に上下反転取付自在に取り付けられており、その両翼部には選択押さえ部５７ａ、５７ｂが形成されている。
図１７の前記指定数設定部材５７は、正立状態の選択押さえ部５７ａが、牽制杆５１Ｂ、５１Ｃ及び指定外阻止杆５２Ｂを押さえ付けて退避させ、コイン１枚（１百円）指定状態に設定している。
【００４０】
図１８の前記指定数設定部材５７は、倒立状態の選択押さえ部５７ｂが、牽制杆５１Ｃ及び指定外阻止杆５２Ａを押さえ付けて退避させ、コイン２枚（２百円）指定状態に設定している。
図１９の前記指定数設定部材５７は、倒立状態でかつ位置を下方にずらした選択押さえ部５７ｂが、指定外阻止杆５２Ａ、５２Ｂを押さえ付けて退避させ、コイン３枚（３百円）指定状態に設定している。
前記指定数設定部材５７によって退避させられた牽制杆５１及び指定外阻止杆５２は、使用しない状態に保持される。
【００４１】
即ち、前記指定数設定部材５７は、指定枚数目の牽制杆５１及びその上側の阻止可能な指定外阻止杆５２並びに指定枚数目の牽制杆５１よりも下側の牽制杆５１を除く牽制杆５１及び指定外阻止杆５２を、コインＢに関与しない後退位置に退避させておくもので、コイン指定数の設定を簡単かつ確実に行うことができるようにしている。
前記コイン２枚指定状態の牽制杆５１Ａ、コイン３枚指定状態の牽制杆５１Ａ、５１ＢもコインＢと関与しないように退避させておいてもよいが、各状態でそれらの牽制杆５１は常にコインＢと対向しているので、強いて指定数設定部材５７で退避させる必要はない。
【００４２】
図１０〜１６、２１、２２に作動手段Ｋを示している。この作動手段Ｋは、主に支持体４２の分岐手段Ｇと反対側の面に配置されており、支持体４２に設けた支軸６４に回転自在に支持された作動体５５、補助板４２Ａに縦軸回り揺動自在に支持された連係体６５等を備えている。
前記作動体５５は側面視略円形であり、作動本体６６とギヤカム体６７とが別個に形成されて、ピン結合により同心状に一体化されている。
作動本体６６には、逆転防止爪６８と係合するラチェット歯６６ａと、作動体５５を常に一定ホーム位置で停止するために、ホームレバー６９と係合するホーム突起６６ｂと、３本の牽制杆５１の牽制突起５１ａが突出しているときに係合する牽制部６６ｃと、回動することにより連動部材５０を前後方向にスライドさせるコイン収納動作部６６ｄとが形成されている。
【００４３】
前記牽制部６６ｃは支軸６４を中心とする円弧形状の長孔であり、支軸６４の中心から３本の牽制突起５１ａまでの距離及び位相が異なるので、各牽制突起５１ａに対応して３本形成されているが、オーバラップする部分もあるため、３つの円弧長孔は連通した形状になっている。
前記牽制部６６ｃが円弧形状の長孔であることにより、牽制突起５１ａが長孔に入っていてもその長孔の範囲内で作動体５５は回動することができ、ハンドル８を操作開始した初期に作動体５５の予備作動をするのを可能にしている。
【００４４】
牽制突起５１ａは円弧長孔状牽制部６６ｃの端部に係合して作動体５５の回動を阻止する。１百円指定用の場合、牽制杆５１Ｂ、５１Ｃは後退させられているので、牽制杆５１Ａのみ後退動作すれば、作動体５５は回動可能になる。
前記ギヤカム体６７は、第２アイドラギヤ３９と噛合していてハンドル８からの操作動力が伝達されるギヤ部６７Ａと、回動することにより連係体６５を揺動させるカム部６７Ｂとが一体成形されている。
カム部６７Ｂは円板のギヤ部６７Ａとは反対方向側の面に突起を隆起させてカム面６７ｂを形成しており、このカム面６７ｂには連係体６５の先端に突設した当接突起６５ａが当接している。
【００４５】
前記連係体６５は前端が縦軸７１を介して補助板４２Ａに支持され、後端の当接突起６５ａとの間の中途部に上下方向３つの押動突起６５ｂを備えており、また、スプリングによって当接突起６５ａをカム面６７ｂに弾圧する方向に付勢されている。
連係体６５の３つの押動突起６５ｂは、補助板４２Ａを貫通してコイン通路４７に突入可能になっていて、それぞれ牽制杆５１Ａ、５１Ｂ、５１Ｃの連動突起５１ｂと対向している。
前記コイン通路４７は、図２１に示すように、支持体４２の段付き通路面と補助板４２Ａの段付き通路面とを対向させて形成されており、コイン通路４７の間隔ＴはコインＢの肉厚Ｗよりも広く、隙間Ｓを形成する寸法になっているが、段付き通路面の段部が対向する最狭部では、コインＢの肉厚Ｗよりも僅かに広いだけの最小寸法Ｐとなっている。
【００４６】
即ち、分岐手段Ｇ上の複数枚のコインＢを保留するコイン通路４７は、路幅方向中途部にコインＢの肉厚Ｗより僅かに大きい最小寸法Ｐ部分を有し、路幅方向中途部の両側に連係体６５でコインＢを押動したときにコインＢを揺動させて牽制杆５１を押動させることを可能にする隙間Ｓを形成している。
これはコイン通路４７内でのコインＢ（１００円硬貨）の２枚重なりによる詰まりをなくすために通路隙間を最小限にすると共に、コイン通路４７の最小寸法Ｐ位置（コインＢの略中央位置）を中心にして、コインＢを隙間Ｓの範囲内で揺動可能にするものである。
【００４７】
前記連動突起５１ｂと押動突起６５ｂとは、コインＢの端部（コイン落下方向と直交する方向の端部）を挟んで対向しており、押動突起６５ｂが押動動作をするとコインＢを揺動し、このコインＢを挟んで連動突起５１ｂが押動され、牽制杆５１が揺動して、その牽制突起５１ａを後退させて作動対５の牽制を解除し、かつ指定外阻止杆５２を揺動してコイン阻止状態にさせる。
前述のように、コイン通路４７の中央に最小寸法Ｐ部分を形成し、両端側にコイン揺動を許容する十分な寸法の隙間Ｓを形成することにより、コインＢの２枚重なりを防止しながら、コインＢを介して行う連係体６５から牽制杆５１への作動力の伝達を確実にすることができる。
【００４８】
連係体６５が牽制杆５１を押動することにより、作動体５５をロックしていた牽制突起５１ａがロック解除されるので、作動体５５はハンドル８からの動力で例えば、３７０°回転することになり、それにより払出ロール２４が駆動されて、媒体Ａの払い出しが行われる。
即ち、作動体５５は長孔状牽制部６６ｃによって予備作動可能であるが、その予備作動後に牽制部６６ｃと係合する牽制杆５１等によって、作動体５５の回動を予備作動後に規制するロック手段Ｌが構成されており、また、コインＢを挟んで牽制杆５１と対向して作動体５５の予備作動の回動で揺動する連係体６５及びカム面６７ｂ等によって、コインＢを介して牽制杆５１のロック解除をするロック解除手段Ｍが構成されている。
【００４９】
前記ロック手段Ｌの牽制杆５１の牽制突起５１ａ及びロック解除手段Ｍの連係体６５の押動突起６５ｂは、分岐手段Ｇ上の最大指定枚数（実施形態では３枚）のコインＢを挟んで対向配置されている。
前記ロック手段Ｌによるロック状態をコインＢを挟んでロック解除手段Ｍで解除することにより、作動体５５から離れた位置で、作動体５５の大きさ、形状に制約を受けることなく、指定数枚のコインＢが投入されたことを確実に検出することができる。
前記作動本体６６には、牽制部６６ｃより外周側にコイン収納動作部６６ｄが形成されている。このコイン収納動作部６６ｄは円弧状の凸条であり、作動本体６６に対して接線方向にスライド自在に配置された連動部材５０の突起部５０ａと係合可能である。
【００５０】
作動体５５が回動すると、コイン収納動作部６６ｄも一体回動し、突起部５０ａと係合して連動部材５０を押し動かし、分岐体４８を左方向に揺動させてコイン通路４７を収納路４７ａに連通し、分岐体４８が保留していたコインＢを集金箱１７へ落下案内する。
前記コイン収納動作部６６ｄは突起部５０ａと係合して連動部材５０を押し動かした後、その外周面が突起部５０ａと係合したままとなり、コイン収納動作部６６ｄの長さの範囲だけ、分岐体４８の揺動した状態を維持する。
分岐体４８上のコインＢがなくなれば、連係体６５を押動しても牽制杆５１は連動することがなく、作動体５５がロックされたままとなって、ハンドル８の回動操作が牽制される。
【００５１】
次に、商品販売機１における販売動作を説明する。
例えば、商品販売機１を百円販売用に設定するとき、指定数設定部材５７で、図１７に示すように、牽制杆５１Ａと指定外阻止杆５２Ａ以外のものを押さえ付けて退避（不使用状態に）させておく。
コイン投入口４からコインＢ（百円）を投入すると、コインＢはコイン検出作動部Ｄのコイン投入部４３に案内されてコインセレクタ４４内に入り、偽造コインが識別される。偽造コインはコインセレクタ４４から排出されて、返却通路４１を通ってコイン返却口７に落下する。コインＢがコインセレクタ４４内で詰まると、返却押しボタン１２を介して返却ボタン４３を押すことによりコイン返却口７に落下する。
【００５２】
正貨コインの場合は、コインセレクタ４４内に留まらずにコイン検出作動部Ｄまで入り、コイン通路４７の分岐体４８によって止められてその上に載置される。このコインＢは牽制杆５１Ａの連動突起５１ｂと連係体６５の押動突起６５ｂとの間に位置する。
この状態でハンドル８を回動開始すると、媒体払出部Ｃの駆動ベベルギヤ２０、従動ベベルギヤ２、伝動ギヤ２２，払出ギヤ２６Ａ、第１、第２アイドラギヤ３８、３９等を介してギヤカム体６７に駆動力がギヤ伝達され、ギヤカム体６７が少し回動されることにより（牽制部６６ｃが円弧長孔であることによる予備作動）、カム部６７Ｂのカム面６７ｂが当接突起６５ａを介して連結体６５を揺動し、ロック解除手段Ｍを作動する。
【００５３】
この連結体６５が揺動することにより、押動突起６５ｂがコイン通路４７内のコインＢを揺動し、この揺動を介して牽制杆５１Ａが退避動作をし、牽制杆５１Ａの牽制突起５１ａが作動本体６６の牽制部６６ｃから離脱し、ロック手段Ｌは解除状態になり、作動体５５のロックを解除する。
また、これと同時に牽制杆５１Ａの揺動によって、掛け突起５１ｃを介して指定外阻止杆５２Ａも揺動され、その阻止突起５２ａはコイン通路４７内に突入し、連続購入のために百円以上投入されたコインＢ（指定外コイン）があれば、そのコインＢを落下阻止状態にする。
【００５４】
ギヤカム体６７の少しの回動と同時に作動体５５のロックが解除されることによって、それ以降のハンドル８の回動は許容され、払出ローラ２４を一定角度回動し、その上に載置されている媒体Ａを払出口６から払い出し、その上の段の媒体Ａを衝立板３１で払出阻止する。
媒体Ａの払い出しに伴って作動本体６６が回動すると、コイン収納動作部６６ｄが連動部材５０を図１０左方向にスライドさせることになり、連動部材５０が分岐体４８を収納揺動してその上に載置していたコインＢを収納路４７ａに落下し、集金箱１７に収納する。
【００５５】
払出ローラ２４の回動が所要角度に近づくころに、コイン収納動作部６６ｄによる連動部材５０の押動が開放され、連動部材５０及び分岐体４８は中立復帰部材４９によって中立位置に戻り、払出ローラ２４が１回転して、ホームレバー６９で設定されたホーム位置に達すると、牽制杆５１Ａの牽制突起５１ａが牽制部６６ｃに入り、作動体５５の回動をロックするようになり、これによって、ハンドル８の回動が制限されることになる。
百円売り設定で２百円以上を連続投入していた場合、牽制突起５１ａが牽制部６６ｃに入るときに、指定外阻止杆５２Ａが揺動されてその阻止突起５２ａはコイン通路４７内の障害となる位置から後退し、阻止突起５２ａが落下阻止状態にしていたコインＢを落下して、分岐体４８上に載せ、前述のロック解除動作を再び行わせることが可能な状態にする。
【００５６】
前記コイン収納動作部６６ｄが連動部材５０をスライドさせている状態で、返却ボタン４６を押すと、連動部材５０は逆にコイン収納動作部６６ｄによって押し戻しが阻止され、分岐体４８及び揺動アーム６１はロック状態になる。このとき、無理な返却動作によって、返却ボタン４６からコイン収納動作部６６ｄまでの部材が破損しないように、緩衝連結杆６２が弯曲変形して、力を逃がすことになる。従って、ただ取りのための返却ボタン４６操作は機能しなくなる。
媒体払出部Ｃの媒体Ａが完売されると、重鎮３３は凹部３３Ｃの内面が払出ローラ２４に接触し上下方向にオーバラップする位置まで下降し、ロック部３３Ｅが払出伝動体２６の被ロック体２６Ｂと係合し、払出ローラ２４の回転を阻止すると共に作動機構Ｅの作動を牽制する。
【００５７】
媒体Ａが完売されたときに、連続購入のために事前に硬貨が投入されていると、重鎮３３による払出ローラ２４の回転阻止のためにハンドル８が回動操作できなくなっており、媒体Ａを販売することなく硬貨を収納するということが防止される。
このとき、連動部材５０はコイン収納動作部６６ｄと係合していなく、分岐体４８は中立位置にあるので、返却ボタン４６を押して分岐体４８をコイン返却揺動させると、ハンドル８を回動操作しなくとも硬貨の返却ができる。
重鎮３３を引き上げて、収納ケース１４に媒体Ａを補給することにより、ロック部３３Ｅと被ロック体２６Ｂとの係合は解除され、払出ローラ２４は回転可能状態になり、作動機構Ｅは作動可能状態になる。
【００５８】
なお、本発明は前記実施の形態に限定されるものではなく、種々変形することができる。例えば、商品販売機１は、１個の箱型の機ケース２内に１組又は３組以上の販売装置３を内蔵してもよく、販売装置３はコイン検出作動部Ｄを持たない、媒体払出部Ｃのみの構造としたり、又はコイン検出作動部Ｄを従来技術のものを使用したりしてもよい。
送り出し機構１５は、媒体Ａが薄い場合は、重鎮３３に凹部３３Ｃを形成して払出ローラの上部に嵌合するように構成することが、ロック部３３Ｅと被ロック体２６Ｂとの係合にとって好ましいが、媒体Ａが束等で厚い場合は、ロック部３３Ｅと被ロック体２６Ｂとの係合量を十分にとることができるので、強いて凹部３３Ｃを形成しなくてもよい。
【００５９】
また、分岐体４８上に４枚以上のコインＢを保留し、かつ指定数設定手段Ｈで指定するコイン数を４枚以上にしてもよい。コインＢは１０円、５０円、１００円、５００円等の硬貨以外の特別仕様のものでもよい。
本発明によれば、収納ケース１４内に収納媒体Ａがなくなったとき、重鎮３３に設けたロック部３３Ｅが被ロック体２６Ｂと係合してローラ軸２５の回転を阻止し、払出ローラ２４が重鎮３３と摺接するのを確実に防止でき、これにより払出ローラ２４の耐久性を向上でき、また、連続購入のために事前に硬貨が投入されていた硬貨を返却できる。
【図面の簡単な説明】
【００６０】
【図１】本発明の実施の形態を示す全体外形正面図である。
【図２】同全体外形側面図である。
【図３】内部構造を示す正面図である。
【図４】内部構造を示す側面図である。
【図５】媒体払出部の要部の側面図である。
【図６】媒体払出部の要部の正面図である。
【図７】媒体払出部の要部の平面図である。
【図８】媒体払出部の要部の断面側面図である。
【図９】媒体払出部の要部の拡大断面側面図である。
【図１０】コイン検出作動部の透視側面図である。
【図１１】コイン検出作動部のコイン通路及び分岐手段を示した側面図である。
【図１２】コイン検出作動部の指定数設定手段を示した側面図である。
【図１３】コイン検出作動部の作動手段を示した側面図である。
【図１４】コイン検出作動部の正面図である。
【図１５】コイン検出作動部の要部の拡大断面平面図である。
【図１６】コイン検出作動部の平面図である。
【図１７】指定数１枚の指定数設定手段の拡大側面図である。
【図１８】指定数２枚の指定数設定手段の拡大側面図である。
【図１９】指定数３枚の指定数設定手段の拡大側面図である。
【図２０】指定数設定部材の正面図である。
【図２１】コイン通路の拡大断面平面図である。
【図２２】作動本体の側面図である。
【符号の説明】
【００６１】
１        商品販売機
２        機ケース
３        販売装置
８        ハンドル
１４      収納ケース
１５      送り出し機構
１６      基礎フレーム
１６ａ    開放軸受部
１８      操作軸
２４      払出ローラ
２５      ローラ軸
２６      払出伝動体
２６Ｂ    被ロック体
３３      重鎮
３３Ｂ    当接部
３３Ｃ    凹部
３３Ｅ    ロック部
４２      支持体
４４      コインセレクタ
５５      作動体
Ａ        商品媒体
Ｂ        コイン
Ｃ        媒体払出部
Ｄ        コイン検出作動部
Ｅ        作動機構
Ｇ        分岐手段
Ｈ        指定数設定手段
Ｋ        作動手段
【要約】
【課題】収納ケース、基礎フレーム、払出ローラ付きローラ軸等を別個に構成して、簡単に組み立てることを可能にする。
【解決手段】基礎フレームと、この基礎フレームと別個に形成されて基礎フレームの上面に着脱可能に装着されていて複数の媒体を収納可能な収納ケースと、この収納ケース内の最下位置の媒体を受持可能な位置にて前記基礎フレームに支持されかつ回転することにより最下位置の媒体を送り出し可能な払出ローラと、この払出ローラを回転すべく基礎フレームに回転可能に支持されていてハンドルにより回転操作される操作軸と、を有し、払出ローラのローラ軸を基礎フレームの上面に形成された上方開放状の開放軸受部に上方より挿脱可能に挿入する構成としている。
【選択図】図８
【図１】
0003726099.tif 000002
【図２】
0003726099.tif 000003
【図３】
0003726099.tif 000004
【図４】
0003726099.tif 000005
【図５】
0003726099.tif 000006
【図６】
0003726099.tif 000007
【図７】
0003726099.tif 000008
【図８】
0003726099.tif 000009
【図９】
0003726099.tif 000010
【図１０】
0003726099.tif 000011
【図１１】
0003726099.tif 000012
【図１２】
0003726099.tif 000013
【図１３】
0003726099.tif 000014
【図１４】
0003726099.tif 000015
【図１５】
0003726099.tif 000016
【図１６】
0003726099.tif 000017
【図１７】
0003726099.tif 000018
【図１８】
0003726099.tif 000019
【図１９】
0003726099.tif 000020
【図２０】
0003726099.tif 000021
【図２１】
0003726099.tif 000022
【図２２】
0003726099.tif 000023